(57)【特許請求の範囲】
【請求項１】
側壁に流入口、排水口を設け、内部にシリンダを有する、地中に埋設される弁箱と、弁箱上端に接続されるパイプを介して地上部に延長される、流出口を側壁に開口した操作部本体と、上記操作部本体の上部に接続される操作蓋と、ハンドルに連結され、上記操作蓋および操作部本体内を上下動する操作桿と、上記操作桿にロッドを介して連結され、上記弁箱のシリンダを摺動する環状パッキンおよび端部を切り離したばね弾性を有する導電環を装着するピストンとを備え、少なくとも上記弁箱、パイプ、操作部本体、操作桿、ロッド、ピストンは金属製からなり、上記操作部本体と操作蓋とを非金属接続させると共に操作部本体と操作桿とを金属接触させず、さらにピストンと弁箱とを上記導電環を介して金属接触させるようにしたことを特徴とする、電気解氷可能な地上配管型水抜栓。
【発明の詳細な説明】
【０００１】
【産業上の利用分野】
本発明は電気氷解器を使用して凍結した管内の解氷を可能にした地上配管型水抜栓に関する。
【０００２】
【従来の技術】
従来、例えば冬に水抜きを忘れて配管内を凍結させたような場合、電気氷解器を使用して解氷することが良く行われている。その際、図５のａに示すような地下配管型の水抜栓の場合は、電気氷解器のクリップ端子を蛇口Ａ、パイプＢに接続して通電すれば、弁箱Ｃを介して両者間に電流が流れ、発熱してその間の氷を融かすことが出来るが、図５のｂに示すような地上配管型の水抜栓の場合には、蛇口ＡとパイプＢを接続してもその間しか解氷できず、従って地中部分のパイプおよび弁箱内の氷が融けず、まして図５のｃに示すような美観性も兼ねた保護管ＤをパイプＢに外装したものにあっては全く解氷が不可能であった。
【０００３】
【発明が解決しようとする課題】
上記点に鑑み本発明は、図５のｂ，ｃに示すような地上配管型水抜栓においても容易に解氷可能な構造を有せしめることを目的とする。
【０００４】
【課題を解決するための手段】
そのため本発明の水抜栓は、内部にシリンダを有する弁箱と地上部の操作部本体をパイプで接続し、操作部本体と操作蓋とを非金属接続し、上記操作蓋と操作部本体内を、ハンドルに連結された操作桿が操作部本体と金属接触しないよう上下動させ、操作桿にロッドを介して連結されるピストンには、上記シリンダを摺動する、端部を切り離したばね弾性を有する導電環を装着するとともに、少なくとも上記弁箱、パイプ、操作部本体、操作桿、ロッド、ピストンを金属製にしてなるものである。
【０００５】
【作用】
上記構成を有しているため、操作部本体、パイプ、弁箱、ピストン、ロッド、操作桿は確実に金属接触しており、また、操作部本体と、操作蓋、操作桿は金属接触していないので、例え凍結事故があっても電気氷解器を使用して容易に解氷できるものである。
【０００６】
【実施例】
実施例について図面を参照して説明する。第１図は本発明の水抜栓の通水常態の１実施例を示しているが、１は弁箱であり、通常、凍結深度以下の地中に埋設され、下方側壁に流入口２を、上方に排水口３を有している。両者間に小径のシリンダ４と、その上端に弁座５をもうけ、排水口３の上下に大径のシリンダ６、７を設ける。更にその上方にシリンダ６よりもやや大径のシリンダ８を有するシリンダ体９を、弁箱１に接続されるパイプ１０により離脱しないよう装着する。１１はピストンであり、下端に上記小径のシリンダ４を摺動する軟質樹脂製のカラー１２と弁座５を閉塞する平パッキン１３をビス１４により離脱しないように装着する。更にその上方にシリンダ６、７を摺動する環状パッキン１５、１６および上端にシリンダ８を摺動する、端部を切り離した、例えば、リン青銅等の導電性、ばね弾性に優れた断面円形の導電環１７を装着する。
【０００７】
更にその上方に流出横穴１８、導電環１７と環状パッキン１５間に排水横穴１９、環状パッキン１６と平パッキン１３間に流入横穴２０を縦穴２１に貫通して設けている。２２はパイプ１０の上端に接続され、地上部に位置する操作部本体であり、側壁に流出口２３を有し、その上方にシリンダ２４を設け、上端に樹脂製継手２５を介して操作蓋２６を非金属接触するように接続する。操作蓋２６内には作動用雌ねじ２７を穿ち、ハンドル２８に連結される上側操作桿２９が回転上下動するようにしている。３０は下側操作桿であり、上側操作桿２９を回転自在に連結しており、その外径３１がいかなる状態にあってもシリンダ２４に接触しないよう、一定の間隙を設けている。更に、Ｏリング３２、端部を切り離した樹脂製のバックアップリング３３を装着し、止水を確実なものにしている。
【０００８】
下側操作桿３０とピストン１１はロッド３４で接続されており、ハンドル２８の回転によりピストン１１は回転せず上下動するようにしている。３５はナット３６により操作部本体２２に固定された金属製の保護管であり、３７はその上蓋、３８は止めねじ３９により保護管３５に固定される下蓋であり、保護管３５内部には耐寒性のための断熱材４０を挿入している。下蓋３８は金属製でも樹脂製でもよいが、上蓋３７を金属製にする場合は操作蓋３７と金属接触しないよう、間にパッキンを介するか適宜な間隙を有せしめる必要がある。なお、上記構成部品の内、弁箱１、パイプ１０操作部本体２２、操作蓋２６、操作桿２９、３０、ロッド３４、ピストン１１は金属製のものを使用するが、操作蓋２６は継手２５と一体にして樹脂製にすることも可能である。
【０００９】
図１は通水状態を示しており、流入口２からの水は弁座５とビス１４の間隙を通って流入横穴２０から縦穴２１に入り込み、流出横穴１８からパイプ１０内に噴出し、操作部本体２２を通って、図示しないが流出口２３に接続される蛇口から放水されている。この状態では環状パッキン１５、１６がシリンダ６、７に密着しており、排水口３からの漏水はなく、また、Ｏリング３２がシリンダ２４に密着しているため、その部分から上方への漏水はない。下側操作桿３０の外径３１とシリンダ２４との間には金属接触しない程度の間隙を設けているため、端部を切り離した樹脂製のバックアップリング３３によりＯリング３２が圧力で変形し、その間隙に入り込まないようにしている。
【００１０】
この状態から、冬、水を抜く時には、ハンドル２８を回して操作蓋２６の作動用雌ねじ２７に螺合する上側操作桿２９を下降させればよく、下側操作桿３０は回転することなく下降し、ロッド３４に接続されたピストン１１も下降し始める。まず、カラー１２が小径のシリンダ４に密着して流入口２からの水を遮断し、その後で環状パッキン１５がシリンダ６から下方に離脱してパイプ１０内の水は流出横穴１８、縦穴２１、排水横穴１９を通って排水口３から地中に排出し始め、最終的には平パッキン１３が弁座５に圧接されて完全止水状態になる。この状態においてもシリンダ体９とピストン１１は導電環１７を介して金属接触している。なお、図示しないが排水口３には逆止弁が取り付けられており、地中の汚水が弁箱１内に入り込まないようにしている。
【００１１】
次に、図の通水状態のまま水抜きしないで、あるいは排水状態で蛇口を開け忘れるなどしてパイプ１０内の水が凍結した場合には、電気氷解器のクリップ端子を蛇口と操作蓋２６あるいは操作桿２９にはさんで通電すればよく、蛇口にプラス側クリップ端子をはさんだ場合には、電流は操作部本体２２、パイプ１０、弁箱１、シリンダ体９、弾性環１７、ピストン１１、ロッド３４、下側操作桿３０、上側操作桿２９を通って、あるいは操作桿２９から操作蓋２６を通ってマイナス側のクリップ端子へと流れ、発熱し始める。一定時間後には蛇口から弁箱１に至るまで解氷が進み、通水が可能になる。
【００１２】
次に図２の実施例について説明するが、図１のものとの相違点は以下の通りでる。すなわち、弁箱１は流入口２の上下に亘って同径の３個のシリンダ６、７、４１を設け、側壁にシリンダ４１の下方からシリンダ６の上方に連通する流路４２を形成する。ピストン１１には上記シリンダ６、７、４１をそれぞれ摺動する３個の環状パッキン１５、１６、４３を装着し、環状パッキン１５の上方には、図３の如く、数個の大径部４４と小径部４５をもうけ、小径部４５で端部を切り離した、ばねた弾性を有する一定の高さの導電環１７を装着する。保護管をもうけず、操作部本体２２に直接樹脂製の操作蓋２６を接続し、上部に平坦部４７をもうけ、その上方に図４の如く、２個の支持腕４７と内側突起４８を設けている。４９は金属製のカムハンドルであり、平坦部４６と内側突起４８により上下動を制限された２個の円盤を有するカム部５０とハンドル部５１とからなる。カムハンドル４９と操作桿２９はピン５２で連結され、カムハンドル４９の垂直方向の回転により上下動するようにしている。
【００１３】
図の通水状態から排水状態にする時は、カムハンドル４９を図で右方向に回していくと、ピン５２に連結された操作桿２９も下降し、まず、ピストン１１の環状パッキン４３がシリンダ４１に密着して流入口２からの水を遮断し、その後で環状パッキン１５がシリンダ６から離脱して、パイプ１０内の水はシリンダ６と導電環１７の間隙を通って排水口３から排出し始め、最終的にはカムハンドル４９は１８０゜回転して停止し、完全止水状態になる。電気氷解器を使用するときには、操作部本体２２に接続される蛇口とカムハンドル４９にクリップ端子をはさんで通電すれば良い。操作蓋２６が樹脂製なのでクリップ端子が接触してもその間に電流が流れることがなく、従ってパイプ１０、弁箱１に電流が流れず発熱しないということもなく、作業性が良くなる。導電環１７は図１のものに比して接触面積が大きいので、通電性はより向上する。本実施例においては、操作部本体２２に直接蛇口を接続せず、配管で戸外から屋内まで引き込み、蛇口をとりつけることも多いが、解氷方法は全く同様である。
【００１４】
【発明の効果】
上述したように本発明においては、弁箱とピストンとは導電環を介して確実に接触しており、操作部本体と操作蓋とを非金属接続させ、操作部本体と操作桿とを金属接触させない様にしているため、従来できなかった地上配管型の水抜栓においても、電気氷解器を使用して容易、かつ確実に解氷できるものであり、さらに、ピストンに溝を設けてばね弾性を有する導電環を装着しているので、構造も単純であり、しかもピストンを引き抜けば地上で容易に導電環の点検、修理ができる、という効果も併せ有する。
【図面の簡単な説明】
【図１】本発明の水抜栓の１実施例を示す、通水状態における縦断面図である。。
【図２】本発明の水抜栓の他の実施例を示す、同じく通水状態における縦断面図である。
【図３】図２の導電環の平面図である
【図４】図２の操作部の直角方向の断面図である。
【図５】水抜栓の設置概略図である。
【符号の説明】
１                    弁箱
２                      流入口
３                      排水口
４、６、７、８、４１  シリンダ
５                                弁座
１０                              パイプ
１１                                      ピストン
１５、１６、４３        環状パッキン
１７                                導電環
２２                                操作部本体
２３                                        流出口
２６                                        操作蓋
２８                                        ハンドル
２９、３０                            操作桿
３２                                        Ｏリング
３４                                        ロッド
【図１】
0003564765.tif 000002
【図２】
0003564765.tif 000003
【図３】
0003564765.tif 000004
【図４】
0003564765.tif 000005
【図５】
0003564765.tif 000006